(57)【要約】      （修正有）【課題】免震装置を設計上の正規位置に正確且つ強固に取り付ける。【解決手段】アンカー部材８を取り付けた仮設プレートを基礎上面の正規位置に位置決め設置し、該仮設プレートの中央部のコンクリート注入孔から基礎内に、該仮設プレートのレベルまで、コンクリートを注入してアンカー部材８を固定する。その後、該仮設プレートを取り外して、注入コンクリート上面に上面修正材２０を塗布してコンクリート上面のレベルの調整を行った後に下部ベースプレート２１と免震装置２２を設置して固定用ボルト２３でアンカー部材８に連結・固定し、免震装置２２を設計上の正規位置に正確で、水平且つ強固に取り付けることができる。【選択図】図６
2011226066.tif 000002
【特許請求の範囲】
【請求項１】
取り外し可能な仮設プレートにアンカー部材が取り付けられ、該アンカー部材を杭頭部または基礎の上面に挿入し設計上の正規位置に位置決めして前記仮設プレートを設置し、
該仮設プレートの中央部に設けたコンクリート注入孔から杭頭部内または基礎内にコンクリートを注入し仮設プレートの上面レベルまで打設して前記アンカー部材を固定し、
その後仮設プレートを取り外して打設したコンクリート上面に上面修正材を塗布してコンクリート上面の凹部及び痘痕部分を埋めると共に水平レベルの調整を行い、
前記塗布した上面修正材が硬化した後に下部ベースプレートと免震装置とを設置し固定用のボルトを挿通して前記アンカー部材と連結して固定すること
を特徴とする免震装置の取付方法。
【請求項２】
所要幅の板材からなるテンプレートにアンカー部材が取り付けられ、該アンカー部材を杭頭部または基礎の上面に挿入し設計上の正規位置に位置決めして前記テンプレートを設置し、
該テンプレートの中央部から杭頭部内または基礎内にコンクリートを注入してテンプレートの上面レベルまで打設して前記アンカー部材を固定し、
前記テンプレート及び打設したコンクリート上面に上面修正材を塗布してコンクリート上面の荒れを埋めると共に水平レベルの調整を行い、
前記塗布した上面修正材が硬化した後に下部ベースプレートと免震装置とを設置し固定用のボルトを挿通して前記アンカー部材と連結して固定すること
を特徴とする免震装置の取付方法。
【請求項３】
前記上面修正材が樹脂剤であること
を特徴とする請求項１または２に記載の免震装置の取付方法。
【請求項４】
建造物の上部構造物と基礎構造物との間に設置される免震装置の取付構造において、
前記基礎構造物である杭頭部または基礎のコンクリートに固定されたアンカー部材と免震装置を固定する下部ベースプレートとの間に、塗布して硬化した上面修正材を介在させたこと
を特徴とする免震装置の取付構造。
【請求項５】
前記アンカー部材の頭部に所要幅の板材からなるテンプレートが設けてあること
を特徴とする請求項４に記載の免震装置の取付構造。
【請求項６】
前記上面修正材が樹脂剤であること
を特徴とする請求項４に記載の免震装置の取付構造。
【発明の詳細な説明】
【技術分野】
【０００１】
本発明は、建造物における基礎構造物に免震装置を取り付けるための取付方法および取付構造に関するものである。
【背景技術】
【０００２】
この種の基礎構造物に対する免震装置の取付方法については、複数の従来例が公知になっている。例えば、第１の従来例としては、基礎構造物を構成する鋼管杭の杭頭部に固定部材を介して免震装置が取り付けられるものであって、前記固定部材は、前記免震装置が固定されるベースプレートと、このベースプレート下面に固定されたアンカー部材とを有して構成され、前記鋼管杭の杭頭部に前記アンカー部材を挿入し、かつ前記ベースプレートを位置決めした状態で、前記杭頭部にコンクリートを注入して前記ベースプレート下面まで充填することで、硬化したコンクリートにより前記鋼管杭と前記固定部材とが一体化される構成である（特許文献１）。
【０００３】
そして、免震装置を鋼管杭の杭頭部上に固定し、この免震装置上に建物本体を設けたことで、従来の基礎梁や基礎フーチングに要する施工手間や地盤の掘削量を削減することができ、基礎施工の短工期化およびコスト低減を実現することができる。また、杭頭部にアンカー部材を挿入した状態でコンクリートを注入するとともに、このコンクリートをベースプレート下面まで充填することによって、アンカー部材およびコンクリートを介してベースプレートが鋼管杭に一体化され、免震装置からベースプレートに作用する建物本体の鉛直荷重および水平荷重を適切に鋼管杭まで伝達することができるというものである。
【０００４】
また、第２の従来例としては、免震装置本体の下面を下部ベースプレートに受止させて取り付ける場合において、基礎コンクリート床面の前記免震装置本体取付部に凹所を設け、この凹所の上部に支持材を差し渡して仮固定し、この支持材の下に前記下部ベースプレートを仮固定すると共に、この下部ベースプレートの下面に複数本のアンカーボルトを吊り下げ、下部ベースプレートに形成されたコンクリート充填用孔からコンクリートを流し込んで前記凹所および下部ベースプレートの下面までコンクリートを打設することで下部ベースプレートを固定し、この後前記支持部材を除去して下部ベースプレートの上面に前記免震装置本体の下面を取り付ける構成である（特許文献２）。
【０００５】
そして、吊り下げ方式により下部ベースプレートを容易に取り付けることができるため、従来のベースプレート受け架台が不要になり、且つ吊り下げ用の支持部材は打設コンクリート内に埋設されず、取り外して転用、盛り替えが可能であることから、施工の効率化と取付精度の向上及びコストダウンを図ることができるというものである。
【先行技術文献】
【特許文献】
【０００６】
【特許文献１】特許第３８９９３５４号の特許公報
【特許文献２】特開平１０−２９２６６８号公報
【発明の概要】
【発明が解決しようとする課題】
【０００７】
前記従来例１においては、鋼管杭の杭頭部に固定部材を介して免震装置が取り付けられるものであるが、その固定部材を鋼管杭の杭頭部に取り付ける手段について、固定部材は免震装置が固定されるベースプレートとその下面に固定されたアンカー部材とを有しており、鋼管杭の杭頭部にアンカー部材を挿入し、ベースプレートを位置決めした状態で杭頭部にコンクリートを注入してベースプレート下面まで充填するとし、具体的には、ベースプレートと杭頭上面との間には３０〜１００ｍｍの隙間を設け、ベースプレートの中央部に設けられた注入孔からコンクリートを注入してベースプレートの下面まで充填することで隙間がコンクリートで埋められるとしている。
【０００８】
また、前記従来例２においては、基礎コンクリート床面に凹所を設け、その凹所の上面にアンカーボルトを吊り下げた下部ベースプレートを支持部材で仮固定し、下部ベースプレートの中心部に設けたコンクリート充填用の孔からコンクリートを流し込んで凹所および下部ベースプレートの下面までコンクリートを打設することで下部ベースプレートを固定するとしている。
【０００９】
ところで、前記いずれの従来例においても、ベースプレートの中央部に設けられた注入孔又は充填孔からコンクリートを注入又は流し込んでベースプレートの下面まで充填するとしているが、工事現場の作業員によりベースプレートの中央部の孔から、単にコンクリートを注入しても、ベースプレートの下面に万遍なく充填されるとは限らないし、無理に強い注入圧で注入したり振動方式で締め固めたりするとベースプレートの一部が浮き上がったりするのである。ましてや、ベースプレートと杭頭上面との間に３０〜１００ｍｍの隙間があると、その隙間からコンクリートが流出してベースプレート下面の隙間が大きくなってコンクリートの実質的な締め固めができないのである。
【００１０】
そのために、注入又は充填したコンクリートとベースプレートの下面との間に空隙部が生じたり一部が浮き上がって傾いたり、また、コンクリートのブリージング（コンクリートの沈み）現象による気泡や巣（隙間）が生じたりしてベースプレートの下面が痘痕状態になる場合がある。しかしながら、いずれの場合でも、従来例ではベースプレートの傾きや下面に生じた痘痕状態を確認したり修復したりすることはできないため、ベースプレートに取り付けられた免震装置の傾斜や沈下が避けられず、ベースプレート直下の均等な面圧を期待できないこと、打ち込んだアンカー部材の一部に軸力負担が大きくなってしまうことにより、大地震時に杭頭部に損傷を与えて、急激な水平力によるせん断力の伝達機能の低下を招き免震装置の機能が発揮できなくなるという問題点を有している。
【００１１】
また、前記いずれの従来例においても、コンクリートを注入・打設又は硬化によって、下部ベースプレートは歪んだり変形したりすることもあるが、免震装置を取り付ける際に下部ベースプレートを補修したり、高さと水平のレベルにおける取付精度について再確認しながら微調整することができないばかりでなく、下部ベースプレートが歪んだり変形した状態のまま免震装置を載置した場合に、双方共に接触する部位が金属やコンクリートなどの硬質材料で形成されているため、接触面に部分的な隙間が生じて全面的に馴染まず、免震装置の着座が不安定になり、それによって下部ベースプレートや基礎部材に対して均一な面圧荷重が掛からなくなり。一部の軸力負担が大きくなり免震の機能が半減するという問題点も有している。
【００１２】
従って、従来例に係る免震装置の取り付けにおいて、複数箇所にアンカー材を介して固定して取り付けられた下部ベースプレートの高さと水平のレベルにおける取付精度を再確認しながら調整できるようにすること、及び下部ベースプレートと基礎部材、若しくは免震装置と下部ベースプレートとの馴染みを良くし水平状態に維持して安定させることに解決すべき課題がある。
【課題を解決するための手段】
【００１３】
本発明は、前述の従来例の課題を解決する具体的手段として、第１の発明は、取り外し可能な仮設プレートにアンカー部材が取り付けられ、該アンカー部材を杭頭部または基礎の上面に挿入し設計上の正規位置に位置決めして前記仮設プレートを設置し、該仮設プレートの中央部に設けたコンクリート注入孔から杭頭部内または基礎内にコンクリートを注入し仮設プレートの上面レベルまで打設して前記アンカー部材を固定し、その後仮設プレートを取り外して打設したコンクリート上面に上面修正材を塗布してコンクリート上面の凹部及び痘痕部分を埋めると共に水平レベルの調整を行い、前記塗布した上面修正材が硬化した後に下部ベースプレートと免震装置とを設置し固定用のボルトを挿通して前記アンカー部材と連結して固定することを特徴とする免震装置の取付方法を提供するものである。
【００１４】
本発明の係る第２の発明は、所要幅の板材からなるテンプレートにアンカー部材が取り付けられ、該アンカー部材を杭頭部または基礎の上面に挿入し設計上の正規位置に位置決めして前記テンプレートを設置し、該テンプレートの中央部から杭頭部内または基礎内にコンクリートを注入してテンプレートの上面レベルまで打設して前記アンカー部材を固定し、前記テンプレート及び打設したコンクリート上面に上面修正材を塗布してコンクリート上面の荒れを埋めると共に水平レベルの調整を行い、前記塗布した上面修正材が硬化した後に下部ベースプレートと免震装置とを設置し固定用のボルトを挿通して前記アンカー部材と連結して固定することを特徴とする免震装置の取付方法を提供するものである。
【００１５】
これらの第１及び第２の発明において、いずれも前記上面修正材が樹脂剤であること、を付加的な要件として含むものである。
【００１６】
本発明に係る第３の発明は、建造物の上部構造物と基礎構造物との間に設置される免震装置の取付構造において、前記基礎構造物である杭頭部または基礎のコンクリートに固定されたアンカー部材と免震装置を固定する下部ベースプレートとの間に、塗布して硬化した上面修正材を介在させたことを特徴とする免震装置の取付構造を提供するものである。
【００１７】
この第３の発明において、前記アンカー部材の頭部に所要幅の板材からなるテンプレートが設けてあること；及び前記上面修正材が樹脂剤であること、を付加的な要件として含むものである。
【発明の効果】
【００１８】
本発明に係る第１の発明の免震構造の取付方法は、杭頭部等の基礎構造物内に注入したコンクリートが硬化してアンカー部材を固定した後に、仮設プレートを取り外して打設したコンクリート上面の状態、即ち、仮設プレートの下面に生じた痘痕状態を確認できると共に仮設プレートに歪みや変形が生じていても、その仮設プレートを取り外した後に上面修正材を塗布して打設したコンクリート上面の凹部及び痘痕部分を埋めると共に水平レベルの調整を行ってから、その上に下部ベースプレートが設置されるので、上面修正材の存在によって下部ベースプレートと基礎構造物内に打設したコンクリートとの馴染みが良好で水平状態に設置され安定すること、及び水平に設置された下部ベースプレートに取り付けられる免震装置は、設計上の正規位置に正確で水平に且つ均等な面圧が受けられるように強固に取り付けることができるという優れた効果を奏する。
【００１９】
また、本発明に係る第２の発明においても、アンカー部材が取り付けられた所要幅の板材からなるテンプレートが使用されるので、該テンプレートは打設コンクリートの表面積に比べて非常に小さいので、打設後のコンクリート表面に気泡や巣（隙間）が生ずることによる痘痕状態にはならないが、コンクリート打設硬化後において、コンクリート表面が水平でなかったり凹凸があったり、また、テンプレートに歪みがあったりしても、上面修正材を塗布することによって、凹凸や歪みを埋めて水平レベルの調整を行ってから、下部ベースプレートを設置することにより、打設したコンクリートと下部ベースプレートとの馴染みが良好で水平状態に設置され安定すること、及び水平に設置された下部ベースプレートに取り付けられる免震装置は、設計上の正規位置に正確で水平に且つ均等な面圧が受けられるように強固に取り付けることができるという優れた効果を奏する。
【００２０】
さらに、本発明に係る第３の発明においては、基礎構造物である杭頭部または基礎のコンクリートに固定されたアンカー部材と免震装置を固定する下部ベースプレートとの間に、塗布して硬化した上面修正材を介在させたことによって、前記第１及び第２の発明と同様に、コンクリートと下部ベースプレートとの馴染みが良好で水平状態に設置され安定すると共に、免震装置は設計上の正規位置に正確で水平に且つ均等な面圧が受けられるように取り付けることができるという優れた効果を奏する。
【図面の簡単な説明】
【００２１】
【図１】本発明の第１の実施の形態に係る免震装置の取付方法を略示的に示した断面図である。
【図２】同実施の形態に係る免震装置の取付方法を略示的に示した平面図である。
【図３】同実施の形態に係る免震装置の取付方法において、図（Ａ）はコンクリートの注入と、図（Ｂ）は仮設プレートの取り外した状況と、図（Ｃ）は一部を拡大して示した説明図である。
【図４】同実施の形態に係る免震装置の取付方法において、図（Ａ）は上面修正材を塗布する状況と、図（Ｂ）は塗布した状況の一部を拡大して示した説明図である。
【図５】同実施の形態に係る免震装置の取付方法において、ベースプレートを配設した状況を略示的に示した断面図である。
【図６】同実施の形態に係る免震装置の取付方法において、ベースプレートと免震装置とを配設して取り付けた状況を略示的に示した断面図である。
【図７】同実施の形態に係る免震装置の取付方法において、免震装置の上部に免震構造の建造物を構築する状況を略示的に示した説明図である。
【図８】同実施の形態に係る免震装置の取付方法において、他の第１の使用例に関する免震装置の上部に免震構造の建造物を構築する例を略示的に示した説明図である。
【図９】同実施の形態に係る免震装置の取付方法において、他の第２の使用例に関する免震装置の上部に免震構造の建造物を構築する例を略示的に示した説明図である。
【図１０】本発明の第２の実施の形態に係る免震装置の取付方法を略示的に示した断面図である。
【図１１】同実施の形態に係る免震装置の取付方法を略示的に示した平面図である。
【図１２】同実施の形態に係る免震装置の取付方法において、図（Ａ）はコンクリートの注入と上面修正材の塗布状況、図（Ｂ）は上面修正材が低粘度の場合と、図（Ｃ）は上面修正材層の形成状況を示した説明図である。
【図１３】同実施の形態に係る免震装置の取付方法において、ベースプレートを配設した状況を略示的に示した断面図である。
【図１４】同実施の形態に係る免震装置の取付方法において、ベースプレートと免震装置とを配設して取り付けた取付構造を略示的に示した断面図である。
【図１５】同実施の形態に係る免震装置の取付構造を使用して、免震装置の上部に免震構造の建造物を構築する状況を略示的に示した説明図である。
【図１６】同実施の形態に係る免震装置の取付構造において、他の第１の使用例に関する免震装置の上部に免震構造の建造物を構築する例を略示的に示した説明図である。
【図１７】同実施の形態に係る免震装置の取付構造において、他の第２の使用例に関する免震装置の上部に免震構造の建造物を構築する例を略示的に示した説明図である。
【図１８】同実施の形態に係る免震装置の取付方法及び取付構造において、使用されるテンプレートの他の第１例を示す平面図である。
【図１９】同実施の形態に係る免震装置の取付方法及び取付構造において、使用されるテンプレートの他の第２例を示す平面図である。
【図２０】同実施の形態に係る免震装置の取付方法及び取付構造において、使用されるテンプレートの他の第３例を示す平面図である。
【発明を実施するための形態】
【００２２】
本発明を図示の実施の形態に基づいて詳しく説明する。図１〜図７は第１の実施の形態に係る免震装置の取付方法を示すものであり、図１において、免震建造物が構築される地盤１に基礎となる複数本の鋼管杭２を打ち込んで設けると共に、該鋼管杭２の頭部２ａが一部露出する程度に鉄筋コンクリート造りの基礎スラブ３が現場打ちで形成される。この鋼管杭２は、概ね建造物の柱が構築される位置に設けられる。
【００２３】
このように設けられた各鋼管杭２の頭部２ａに免震装置を取り付けるために、各鋼管杭２の頭部２ａの内側には、所定高さのコンクリートが打設できるようにそれぞれ仕切板４が設けられると共に、打設したコンクリートと鋼管杭２との一体化を高めるために複数条のリング状の突起５が、例えば、溶接手段などにより設けられている。
【００２４】
そして、免震装置を取り付けるために、各鋼管杭２の頭部２ａ上面に同一レベルと水平度を出すための仮設プレート６を配設する。この仮設プレート６には、アンカーボルト８ａと長ナット８ｂとから構成されている複数のアンカー部材８がボルト１０を介して取り付けられており、前記アンカー部材８が、鋼管杭２の頭部２ａから内部に位置するように仮設プレート６を適宜の支持手段１１により支持させる。
【００２５】
この支持手段１１は、例えば、図２に示したように、バー状の２本の支持体１２、１３と、該支持体１２、１３の各両端部側にそれぞれ設けた支持台１４、１５と、該各支持台１４、１５と支持体１２、１３との間の間隔を調整できる調整ネジ１６、１７とからなっており、支持台１４、１５は基礎スラブ３上に固定され、仮設プレート６は少し長めのボルト１０によって支持体１２、１３に支持されている。
【００２６】
このように各鋼管杭２の頭部２ａ上面に仮設プレート６を配設し、各調整ネジ１６，１７をそれぞれ操作して、各鋼管杭２上の仮設プレート６の高さ位置（レベル）と、水平度（レベル）とを全て設計上の正規位置にセット又は設置させる。なお、この支持手段１１は、あくまでも一例であって、その他に、例えば、仕切板４との間で複数本の棒状材を介在させて支持させても良いのである。要するに、仮設プレート６を支持し、その高さレベルと水平レベルとが調整できる支持手段であれば良いのである。
【００２７】
仮設プレート６の高さレベルと水平レベルとが正規位置にセットされた後において、図３（Ａ）に示したように、仮設プレート６の中央部の注入孔６ａから鋼管杭２の頭部内にコンクリート１８を仮設プレート６のほぼ上面レベルまで注入するのである。そして、内部に注入されたコンクリート１８については、例えば、内部振動方式や型枠振動方式又は表面振動方式のいずれかの振動方式を用いて振動を与えることにより締め固めを行えば良い。
【００２８】
注入したコンクリート１８が硬化した後に、支持手段１１の支持体１２、１３を取り外すと共に全てのボルト１０を外し、図３（Ｂ）に示したように、仮設プレート６だけを剥がして取り外し、仮設プレート６の下面側に注入され硬化したコンクリート１８の状態を調べると、図３（Ｃ）に示したように、コンクリート１８の上面で仮設プレート６を剥がした凹部１８ａ内に気泡又は空隙やブリージング等によって生じた巣（隙間）及び不規則な凹みや痘痕状態１９が確認できる。なお、取り外した仮設プレート６は基本的には繰り返し使用するのである。また、仮設プレート６は鋼板製としても良いし、木製ベニヤ板等としても良い。  
【００２９】
そこで、図４（Ａ）に示したように、前記取り外したボルト１０を各長ナット８ｂに再度螺着させてボルト１０の頂部を塞いでから、凹部１８ａ内に、例えば、粘性のある液状の例えばエポキシ樹脂やアクリル樹脂またはポリエステル樹脂等の樹脂剤からなる上面修正材２０を注意深く塗布又は注入して凹部１８ａから溢出しないように全面的に埋めるようにする。この上面修正材２０は粘性のある液状であるから、図４（Ｂ）に示したように、凹部１８ａ内の巣（隙間）及び不規則な凹みや痘痕状態１９を完全に埋めると共に、その上面修正材２０の上面は必然的に水平になって水平レベルの調整が行われるのであり、その水平になった状態で硬化する。なお、注入又は塗布する上面修正材２０の厚みは概ね２〜５ｍｍ程度である。
【００３０】
このように液状の上面修正材２０で水平レベルの調整が行われて硬化した後に、ボルト１０を取り外し、図５で示したように、免震装置用の新たな下部ベースプレート２１を載置したときに前記上面修正材２０との接触面が全面的に馴染んで安定し、さらに、図６で示したように、その上部に免震装置２２を載置し、固定用のボルト２３により下部ベースプレート２１と上面修正材２０とを挿通し、アンカー部材８の長ナット８ｂに螺着させてアンカーボルト８ａと連結固定して、免震装置２２を水平状態に且つ設計上の正確な位置に強固に安定した状態で取り付けることができるのである。
【００３１】
そして、基礎構造物Ａ２に正確な位置で且つ水平状態に取り付けられた免震装置２２の上部には、図７に示したように、上部ベースプレート２４を介して上部構造コンクリート２５が載置され、該上部構造コンクリート２５内に設置されるアンカー部材２６のナット２７に固定ボルト２８を螺着させて適正な状態で取り付けられるのである。なお、上部構造コンクリート２５には大梁２９や柱３０が取り付けられて建造物Ａの上部構造物Ａ１が構築されるのである。
【００３２】
また、第１の実施の形態に係る免震装置の取付方法について他の２つの使用例を図８と図９に示してある。第１の使用例を示す図８において、基礎構造物Ａ２となる現場打ちコンクリート杭３１の上部に所要長さの頭部鋼管３２が取り付けられた場合であって、この頭部鋼管３２に対しても、前記第１の実施の形態とほぼ同様の方法で、仮設プレート６の設置と取り外し、コンクリート１８の注入、例えばエポキシ樹脂やアクリル樹脂またはポリエステル樹脂等の樹脂剤からなる上面修正材２０の塗布等の工程を行って水平レベルの調整を行い、その後に下部ベースプレート２１を載置することで馴染みが良好で安定し、その下部ペースプレート２１上に免震装置２２をセットして固定用のボルト２３で固定する点、及び、その後に建造物Ａの上部構造物Ａ１を構築する点では同じであるので、同一部分には同一符合を付してその説明は省略する。特に、現場打ちコンクリート杭３１であるから、その上部に注入されるコンクリート１８はコンクリート杭３１と一体化するので、仕切板４とリング状の突起５は不要なのである。
【００３３】
さらに、第２の使用例を示す図９について説明する。この使用例は基礎杭に適用するのではなく、基礎９である現場打ちの基礎コンクリート３３において、構築される建造物Ａの柱が取り付けられる設計上の位置に、前記第１の実施の形態とほぼ同様の方法で、仮設プレート６の設置、基礎コンクリート３３の形成（打設）、基礎コンクリート３３の硬化後に、仮設プレート６を取り外し、例えば樹脂剤からなる上面修正材２０の塗布等の工程を行って水平レベルの調整を行い、その後に下部ベースプレート２１と免震装置２２とをセットして固定用のボルト２３で固定する点、及び、その後に建造物Ａの上部構造物Ａ１を構築する点では同じであるので、前記第１の使用例と同様に、同一部分には同一符合を付してその説明は省略する。
【００３４】
いずれにしてもこれら使用例においては、アンカー部材を取り付けた仮設プレートを免震装置が取り付けられる設計上の正しい位置に、高さレベルと水平レベルとを調整して設置し、コンクリートを注入または打設して硬化させた後に、仮設プレートを除去又は剥がして仮設プレートの下面で硬化したコンクリート面に気泡又は空隙やブリージング等によって生じた巣（隙間）及び不規則な凹みや痘痕状態があっても、それらは上面修正材の塗布又は注入によって埋められると共に水平レベルの調整がなされるのであり、上面修正材の硬化後に、その上部に下部ベースプレートを載置することで馴染みが良好で安定し、その下部ペースプレート上に免震装置をセットして固定することによって、免震装置を水平状態に且つ設計上の正確な位置に強固に取り付けることができる点で共通するのである。
【００３５】
次ぎに、本発明の第２の実施の形態について図１０〜１９に示してある。なお、前記第１の実施の形態と同一部分には同一符合を付して説明する。まず、図１０において、免震建造物が構築される地盤１に基礎となる複数本の鋼管杭２を打ち込んで設けると共に、該鋼管杭２の頭部２ａが一部露出する程度に鉄筋コンクリート造りの基礎スラブ３が現場打ちで形成される。なお、鋼管杭２は、概ね建造物の柱が構築される位置に設けられる。
【００３６】
このように設けられた各鋼管杭２の頭部２ａに免震装置を取り付けるために、各鋼管杭２の頭部２ａの内側には、所定高さのコンクリートが打設できるようにそれぞれ仕切板４が設けられると共に、打設したコンクリートと鋼管杭２との一体化を高めるために複数条のリング状の突起５が溶接手段などにより一体的に取り付けられている。
【００３７】
そして、免震装置を取り付けるために、各鋼管杭２の頭部２ａ上面に同一レベルと水平度を出すためのリング状で所要幅の板材からなるテンプレート３６を配設する。このテンプレート３６には、アンカーボルト８ａと長ナット８ｂとから構成されるいる複数のアンカー部材８がボルト１０を介して取り付けられており、前記アンカー部材８が、鋼管杭２の頭部２ａから内部に位置するようにテンプレート３６を適宜の支持手段１１により支持させる。この場合のテンプレート３６は、複数のアンカー部材８を適正な状態で支持して鋼管杭２の頭部２ａ内の適正位置に配設するために用いられるものである。
【００３８】
前記支持手段１１は、例えば、図１１に示したように、バー状の２本の支持体１２、１３と、該支持体１２、１３の各両端部側にそれぞれ設けた支持台１４、１５と、該各支持台１４、１５と支持体１２、１３との間の間隔を調整できる調整ネジ１６、１７とからなっており、支持台１４、１５は基礎スラブ３上に固定され、テンプレート３６は少し長めのボルト１０によって支持体１２、１３に支持されている。
【００３９】
このように各鋼管杭２の頭部２ａ上面にテンプレート３６を配設し、各調整ネジ１６，１７をそれぞれ操作して、各鋼管杭２上のテンプレート３６の高さ位置（レベル）と、水平度（レベル）とを全て設計上の正規位置にセット又は設置させる。なお、この支持手段１１は、あくまでも一例であって、その他に、例えば、仕切板４との間で複数本の棒状材を介在させて支持させても良いのである。要するに、テンプレート３６を支持し、その高さレベルと水平レベルとが調整できる支持手段であれば良いのである。
【００４０】
テンプレート３６の高さレベルと水平レベルとが正規位置にセットされた後において、リング状のテンプレート３６は、その中央部に大きな空間部があるので、その空間部から鋼管杭２の頭部２ａ内にコンクリート１８を注入する。この場合の注入量は、テンプレート３６のほぼ上面レベルまで達する程度であって、内部に注入されたコンクリート１８については、例えば、内部振動方式や型枠振動方式又は表面振動方式のいずれかの振動方式を用いて振動を与えることにより締め固めを行えば、テンプレート３６の幅が狭いので、その下面側には気泡や巣（隙間）がほとんど生じないし、また、目視によってその量を判断し、多ければ掬い取るし少なければ少しずつ注ぎ足せば良いのであり、最終的には鏝を用いてテンプレート３６の上面と面一になるように全体を略平面に均せば良いが、それでもコンクリート１８の上面が平面または水平になるとは限らないのである。
【００４１】
全体を略平面に均したコンクリート１８が硬化した後に、支持手段１１の支持体１２、１３を取り外すと共に全てのボルト１０を緩めて、図１２（Ａ）に示したように、長ナット８ｂから離脱させない程度に上方に突出させて長ナット８ｂの上端開口部を塞がないようにして、粘性のある液状の樹脂剤からなる上面修正材２０を所要厚さ（２〜５ｍｍ程度）塗布する。
【００４２】
もし仮に、塗布する液状の上面修正材２０の粘性が低くて流動性がある場合には、図１２（Ｂ）に示したように、テンプレート３６の周面を囲うように円形状の囲い壁３７を載置して配設し、その内側に粘性の低い液状の上面修正材２０を所要量注入する。この場合に、テンプレート３６を含むコンクリート１８の上面は鏝によって全体が略平面に均されているので、囲い壁３７を載置して設けるだけでも樹脂が漏れてしまうような隙間は生じないのである。
【００４３】
塗布または注入した上面修正材２０が硬化することによって、図１２（Ｃ）に示したように、テンプレート３６及びコンクリート１８を含む鋼管杭２の頂部に、上面が水平な上面修正材２０の層が形成されるのである。ところで、テンプレート３６を含むコンクリート１８の上面全体が見た目で平面であっても、実際には振動によるコンクリートの打設や締め固め等の作業の際に、僅かに歪んだり傾斜したりする場合もあるのであるから、その歪みや傾斜を塗布した上面修正材２０によって水平レベルに調整できるのである。
【００４４】
このように上面修正材２０で水平レベルの調整が行われて硬化した後に、ボルト１０を取り外し、図１３で示したように、免震装置用の下部ベースプレート２１を載置すれば上面修正材２０との馴染みが良好で水平状態に安定し、更に、図１４で示したように、免震装置２２を載置し、固定用のボルト２３により下部ベースプレート２１と上面修正材２０とを挿通し、アンカー部材８の長ナット８ｂに螺着させてアンカーボルト８ａと連結固定して、免震装置２２を水平状態に且つ設計上の正確な位置に強固に取り付けることができるのである。
【００４５】
そして、基礎構造物Ａ２に正確な位置で且つ水平状態に取り付けられた免震装置２２の上部には、図１５に示したように、上部ベースプレート２４を介して上部構造コンクリート２５が載置され、該上部構造コンクリート２５内に配置されるアンカー部材２６のナット２７に固定ボルト２８を螺着させて適正な状態で取り付けられるのである。なお、上部構造コンクリート２５には大梁２９や柱３０が取り付けられて建造物Ａの上部構造物Ａ１が構築されるのであり、前記第１の実施の形態と同様である。
【００４６】
また、この第２の実施の形態に係る免震装置の取付方法についても、前記第１の実施の形態と同様に他の２つの使用例がある。第１の使用例を示す図１６において、基礎構造物Ａ２となる現場打ちコンクリート杭３１の上部に所要長さの頭部鋼管３２が取り付けられた場合であって、この頭部鋼管３２に対しても、前記第２の実施の形態とほぼ同様の方法で、テンプレート３６の設置、コンクリート１８の注入、上面修正材２０の塗布等の工程を行って水平レベルの調整を行い、その後に下部ベースプレート２１を載置することで馴染みが良好で安定し、その下部ペースプレート２１上に免震装置２２をセットして固定用のボルト２３で固定する点、及び、その後に建造物Ａの上部構造物Ａ１を構築する点では同じであるので、同一部分には同一符合を付してその説明は省略する。特に、現場打ちコンクリート杭３１であるから、その上部に注入されるコンクリート１８はコンクリート杭３１と一体化するので、仕切板４とリング状の突起５は不要なのである。
【００４７】
さらに、第２の使用例を示す図１７について説明する。この使用例は基礎杭に適用するのではなく、基礎９である現場打ちの基礎コンクリート３３において、構築される建造物の柱が取り付けられる設計上の位置に、前記第２の実施の形態とほぼ同様の方法で、テンプレート３６の設定、基礎コンクリート３３の形成（打設）、基礎コンクリート３３の硬化後に、上面修正材２０の塗布等の工程を行って水平レベルの調整を行い、その後に下部ベースプレート２１を載置することで馴染みが良好で安定し、その下部ペースプレート２１上に免震装置２２をセットして固定用のボルト２３で固定する点、及び、その後に建造物Ａの上部構造物Ａ１を構築する点では同じであるので、前記第２の使用例と同様に、同一部分には同一符合を付してその説明は省略する。
【００４８】
いずれにしてもこれら使用例においては、アンカー部材を取り付けたテンプレートを免震装置が取り付けられる設計上の正しい位置に、高さレベルと水平レベルとを調整して設置し、コンクリートを注入または打設して硬化させた後に、テンプレートを埋め込んだままの状態で、そのテンプレートを含む上面に上面修正材を塗布して、上面の荒れや傾斜を補正して水平レベルの調整がなされるのであり、上面修正材の硬化後に、その上部に載置した下部ベースプレートとの馴染みが良好で水平状態に安定し、該安定した下部ベースプレート上に免震装置とをセットして固定することによって、免震装置を水平状態に且つ設計上の正確な位置に強固に安定して取り付けることができる点で共通するのである。
【００４９】
さらに、第２の実施の形態で使用されるリング状で所要幅の板材からなるテンプレート３６については、図１８〜図２０に示した構成のものも使用できる。即ち、他の第１例はリング状のテンプレート３６の全体が歪まないように、内側に十字状の補強プレート３８を一体的に取り付けた構成のもの、又は、他の第２例はテンプレート３６と補強プレート３８を一体的に取り付けたものを二分割した構成のもの、さらに、他の第３例はテンプレート３６の外周面の複数箇所に舌状の補助アンカー取付部３９を設けた構成のもの（非リング状）等が使用可能である。要するに、テンプレート３６は基本的には所要幅の板材からなるリング状であるが、そのテンプレートにさらに補強部材等が取り付けられたものや、複数に分割したものも使用可能なのである。そして、いずれもアンカー部材８がボルト１０を介して取り付けられている点では同じなのである。
【００５０】
以下に他の実施の形態を説明する。
前記アンカー部材８は、先の実施の形態で説明したようにアンカーボルト８ａと長ナット８ｂとから構成されているが、これに限定されるものではなく、例えば、いずれか一方または両方が実施し得るように構成してあっても良い。その一例として、例えば、アンカーボルトの変わりに鉄筋またはスタットボルトとしても良い。
また、前記上面修正材２０は、エポキシ樹脂やアクリル樹脂またはポリエステル樹脂等の樹脂剤とすることが好ましいが、例えば、高強度無収縮モルタル材（商品名：セラマックス）とすることもできる。
通常、免震装置から大きな軸力が免震装置を設置する直下面のコンクリートに作用するから、コンクリートの横方向に割裂応力が発生してコンクリートに損傷を与える恐れがある。そのため、図７〜図９及び図１５〜図１７に示すように、杭頭部または基礎の上面に設置されたアンカー部材周囲に所定深さまでスパイラル補強７を配設することが望ましい。そうすることによって横拘束補強効果が得られ、杭頭部や基礎上面のコンクリートが損傷することはなく免震装置から作用してくる軸力がスムーズに杭や基礎に伝達されることになる。
なお、本発明は以上に示している実施例の構成に限定されるものではなく、本発明の趣旨を逸脱しない範囲において、種々の変更が自在に行えるのである。
【産業上の利用可能性】
【００５１】
本発明に係る免震装置の取付方法については、基本的に下部ベースプレートを取り付ける前に上面修正材を所要厚さに塗布することによって、免震装置が取り付けられる位置の傾きや打設したコンクリートの痘痕状態を修復した後に下部ベースプレートをアンカー部材と連結させて強固に固定することができるため、該下部ベースプレートに取り付けられた免震装置は設計上の正しい位置に適正な状態で取り付けることができるのであり、鋼管杭頭部或いは現場打ちのコンクリート杭頭部や基礎コンクリート上にも広く利用することができるのである。
【符号の説明】
【００５２】
１  地盤
２  鋼管杭
２ａ  頭部
３  基礎スラブ
４  仕切板
５  突起
６  仮設プレート
７  スパイラル補強筋
８  アンカー部材
８ａ  アンカーボルト
８ｂ  長ナット
９  基礎
１０  ボルト
１１  支持手段
１２、１３  支持体
１４、１５  支持台
１６、１７  調整ネジ
１８  コンクリート
１８ａ  凹部
１９  凹みや痘痕状態
２０  上面修正材
２１  下部ベースプレート
２２  免震装置
２３  固定用のボルト
２４  上部ベースプレート
２５  上部構造コンクリート
２６  アンカー部材
２７  ナット
２８  固定ボルト
２９  大梁
３０  柱
３１  コンクリート杭
３２  頭部鋼管
３３  基礎コンクリート
３６  テンプレート
３７  囲い壁
３８  補強プレート
３９  補助アンカー取付部
Ａ  建造物
Ａ１  上部構造物
Ａ２  基礎構造物
【図１】
2011226066.tif 000003
【図２】
2011226066.tif 000004
【図３】
2011226066.tif 000005
【図４】
2011226066.tif 000006
【図５】
2011226066.tif 000007
【図６】
2011226066.tif 000008
【図７】
2011226066.tif 000009
【図８】
2011226066.tif 000010
【図９】
2011226066.tif 000011
【図１０】
2011226066.tif 000012
【図１１】
2011226066.tif 000013
【図１２】
2011226066.tif 000014
【図１３】
2011226066.tif 000015
【図１４】
2011226066.tif 000016
【図１５】
2011226066.tif 000017
【図１６】
2011226066.tif 000018
【図１７】
2011226066.tif 000019
【図１８】
2011226066.tif 000020
【図１９】
2011226066.tif 000021
【図２０】
2011226066.tif 000022
【手続補正書】
【提出日】平成22年9月30日(2010.9.30)
【手続補正１】
【補正対象書類名】明細書
【補正対象項目名】００１３
【補正方法】変更
【補正の内容】
【００１３】
本発明は、前述の従来例の課題を解決する具体的手段として、第１の発明は、取り外し可能な仮設プレートにアンカー部材が取り付けられ、該アンカー部材を杭頭部または基礎の上面に挿入し設計上の正規位置に位置決めして前記仮設プレートを設置し、該仮設プレートの設置を維持した状態で杭頭部内または基礎内にコンクリートを注入し仮設プレートの上面レベルまで打設して前記アンカー部材を固定し、その後仮設プレートを取り外して打設したコンクリート上面に液状の上面修正材を塗布してコンクリート上面の凹部及び痘痕部分を埋めると共に水平レベルの調整を行い、前記塗布して水平レベルの調整を行った上面修正材が硬化した後に下部ベースプレートと免震装置とを設置し固定用のボルトを挿通して前記アンカー部材と連結して固定することを特徴とする免震装置の取付方法を提供するものである。
【手続補正２】
【補正対象書類名】明細書
【補正対象項目名】００１４
【補正方法】変更
【補正の内容】
【００１４】
本発明に係る第２の発明は、所要幅の板材からなるテンプレートにアンカー部材が取り付けられ、該アンカー部材を杭頭部または基礎の上面に挿入し設計上の正規位置に位置決めして前記テンプレートを設置し、該テンプレートの中央部から杭頭部内または基礎内にコンクリートを注入してテンプレートの上面レベルまで打設して前記アンカー部材を固定し、前記テンプレート及び打設したコンクリート上面に液状の上面修正材を塗布してコンクリート上面の荒れを埋めると共に水平レベルの調整を行い、前記塗布して水平レベルの調整を行った上面修正材が硬化した後に下部ベースプレートと免震装置とを設置し固定用のボルトを挿通して前記アンカー部材と連結して固定することを特徴とする免震装置の取付方法を提供するものである。
【手続補正３】
【補正対象書類名】明細書
【補正対象項目名】００１６
【補正方法】変更
【補正の内容】
【００１６】
本発明に係る第３の発明は、建造物の上部構造物と基礎構造物との間に設置される免震装置の取付構造において、前記基礎構造物である杭頭部または基礎のコンクリートに固定されたアンカー部材と免震装置を固定する下部ベースプレートとの間に、液状の上面修正材を塗布して水平レベルの調整を行って硬化した前記上面修正材を介在させたことを特徴とする免震装置の取付構造を提供するものである。
【手続補正４】
【補正対象書類名】明細書
【補正対象項目名】００１８
【補正方法】変更
【補正の内容】
【００１８】
本発明に係る第１の発明の免震構造の取付方法は、杭頭部等の基礎構造物内に注入したコンクリートが硬化してアンカー部材を固定した後に、仮設プレートを取り外して打設したコンクリート上面の状態、即ち、仮設プレートの下面に生じた痘痕状態を確認できると共に仮設プレートに歪みや変形が生じていても、その仮設プレートを取り外した後に液状の上面修正材を塗布して打設したコンクリート上面の凹部及び痘痕部分を埋めると共に水平レベルの調整が必然的に行われるから、その上に下部ベースプレートが設置されるので、上面修正材の存在によって下部ベースプレートと基礎構造物内に打設したコンクリートとの馴染みが良好で水平状態に設置されて安定すること、及び水平に設置された下部ベースプレートに取り付けられる免震装置は、設計上の正規位置に正確で水平に且つ均等な面圧が受けられるように強固に取り付けることができるという優れた効果を奏する。
【手続補正５】
【補正対象書類名】明細書
【補正対象項目名】００１９
【補正方法】変更
【補正の内容】
【００１９】
また、本発明に係る第２の発明においても、アンカー部材が取り付けられた所要幅の板材からなるテンプレートが使用されるので、該テンプレートは打設コンクリートの表面積に比べて非常に小さいので、打設後のコンクリート表面に気泡や巣（隙間）が生ずることによる痘痕状態にはならないが、コンクリート打設硬化後において、コンクリート表面が水平でなかったり凹凸があったり、また、テンプレートに歪みがあったりしても、液状の上面修正材を塗布することによって、凹凸や歪みを埋めて水平レベルの調整が必然的に行われるから、下部ベースプレートを設置することにより、上面修正材が存在することで打設したコンクリートと下部ベースプレートとの馴染みが良好で水平状態に設置されて安定すること、及び水平に設置された下部ベースプレートに取り付けられる免震装置は、設計上の正規位置に正確で水平に且つ均等な面圧が受けられるように強固に取り付けることができるという優れた効果を奏する。  
【手続補正６】
【補正対象書類名】明細書
【補正対象項目名】００２０
【補正方法】変更
【補正の内容】
【００２０】
さらに、本発明に係る第３の発明においては、基礎構造物である杭頭部または基礎のコンクリートに固定されたアンカー部材と免震装置を固定する下部ベースプレートとの間に、液状の上面修正材を塗布して水平レベルの調整を行って硬化した前記上面修正材を介在させたことによって、前記第１及び第２の発明と同様に、上面修正材が存在することでコンクリートと下部ベースプレートとの馴染みが良好で水平状態に設置されて安定すると共に、免震装置は設計上の正規位置に正確で水平に且つ均等な面圧が受けられるように取り付けることができるという優れた効果を奏する。
【手続補正７】
【補正対象書類名】特許請求の範囲
【補正対象項目名】全文
【補正方法】変更
【補正の内容】
【特許請求の範囲】
【請求項１】
取り外し可能な仮設プレートにアンカー部材が取り付けられ、該アンカー部材を杭頭部または基礎の上面に挿入し設計上の正規位置に位置決めして前記仮設プレートを設置し、
該仮設プレートの設置を維持した状態で杭頭部内または基礎内にコンクリートを注入し仮設プレートの上面レベルまで打設して前記アンカー部材を固定し、
その後仮設プレートを取り外して打設したコンクリート上面に液状の上面修正材を塗布してコンクリート上面の凹部及び痘痕部分を埋めると共に水平レベルの調整を行い、
前記塗布して水平レベルの調整を行った上面修正材が硬化した後に下部ベースプレートと免震装置とを設置し固定用のボルトを挿通して前記アンカー部材と連結して固定すること
を特徴とする免震装置の取付方法。
【請求項２】
所要幅の板材からなるテンプレートにアンカー部材が取り付けられ、該アンカー部材を杭頭部または基礎の上面に挿入し設計上の正規位置に位置決めして前記テンプレートを設置し、
該テンプレートの中央部から杭頭部内または基礎内にコンクリートを注入してテンプレートの上面レベルまで打設して前記アンカー部材を固定し、
前記テンプレート及び打設したコンクリート上面に液状の上面修正材を塗布してコンクリート上面の荒れを埋めると共に水平レベルの調整を行い、
前記塗布して水平レベルの調整を行った上面修正材が硬化した後に下部ベースプレートと免震装置とを設置し固定用のボルトを挿通して前記アンカー部材と連結して固定すること
を特徴とする免震装置の取付方法。
【請求項３】
前記上面修正材が液状の樹脂剤であること
を特徴とする請求項１または２に記載の免震装置の取付方法。
【請求項４】
建造物の上部構造物と基礎構造物との間に設置される免震装置の取付構造において、
前記基礎構造物である杭頭部または基礎のコンクリートに固定されたアンカー部材と免震装置を固定する下部ベースプレートとの間に、液状の上面修正材を塗布して水平レベルの調整を行って硬化した前記上面修正材を介在させたこと
を特徴とする免震装置の取付構造。
【請求項５】
前記アンカー部材の頭部に所要幅の板材からなるテンプレートが設けてあること
を特徴とする請求項４に記載の免震装置の取付構造。
【請求項６】
前記上面修正材が液状の樹脂剤であること
を特徴とする請求項４に記載の免震装置の取付構造。